(57)【要約】【課題】　直進案内環の強度を増加するとともに、直進案内環の射出成形が容易なレンズ鏡筒を提供する。【解決手段】　直進案内環と、直進案内環の内側に配置され、外周面にカムを有する直進移動環と、直進案内環の外側に配置され、直進案内環に対して周方向には回転可能で光軸方向には移動不可能な、第１貫通溝を有する回転操作環と、を同心状に配置し、回転操作環の直進案内環に対する回動操作により、直進案内環を介して直進移動環を光軸方向に直進移動させるレンズ鏡筒であって、直進案内環は径方向に貫通する第２貫通溝を有し、回転操作環の外側から、直進案内環の貫通溝を介して直進移動環に設けられたカムと係合する突起部材を挿入させる。【選択図】　図１
2004139061.tif 000002
【特許請求の範囲】
【請求項１】
直進案内環と、前記直進案内環の内側に配置され、外周面にカムを有する直進移動環と、前記直進案内環の外側に配置され、前記直進案内環に対して周方向には回転可能で光軸方向には移動不可能な、第１貫通溝を有する回転操作環と、を同心状に配置し、前記回転操作環の前記直進案内環に対する回動操作により、前記直進案内環を介して前記直進移動環を光軸方向に直進移動させるレンズ鏡筒であって、
前記直進案内環は径方向に貫通する第２貫通溝を有し、
前記回転操作環の外側から、前記直進案内環の貫通溝を介して前記直進移動環に設けられたカムと係合する突起部材を挿入させたことを特徴とするレンズ鏡筒。
【請求項２】
前記突起部材を挿入したとき、第２貫通溝に位置する前記突起部材の光軸方向の長さが、第２貫通溝の光軸方向の長さとほぼ一致するレンズ鏡筒。
【請求項３】
前記直進案内環の第２貫通溝は、前記突起部材が、前記回転操作環の前記直進案内環に対して回転を邪魔しないような周方向長溝になっているレンズ鏡筒。
【発明の詳細な説明】
【技術分野】
【０００１】
　本発明はレンズ鏡筒に関し、特に固定環の外周に位置する回転操作環の回転動作により、固定環の内周に位置する直進移動環を光軸方向に直進移動させるレンズ鏡筒に関する。
【背景技術】
【０００２】
　従来のレンズ鏡筒について図面を参照しつつ説明する。ここで、図４は従来のレンズ鏡筒の断面図であり、図５は、従来のレンズ鏡筒の直進案内環の展開図である。
【０００３】
　従来のレンズ鏡筒は、外側からズーム環５０、直進案内環３０および１群移動枠５１を備えてなる。ズーム環５０の周方向には長溝５０ａが設けられており、長溝５０ａに嵌合するローラ７０を直進案内環３０に取り付けることにより、直進案内環３０に対してズーム環５０の光軸方向の動きを規制している。一方、ズーム環５０の内径側には、径方向に突出するカム係合部５６がズーム環５０と一体に設けられており、カム係合部５６が直進案内環３０を介して１群移動枠５１のカム突起５１ａと係合されている。
【０００４】
【特許文献１】特開平０９−６１６９３号公報
【発明の開示】
【発明が解決しようとする課題】
【０００５】
　上述のような構成では、ズーム環５０に直進案内環３０を組み込むときにカム係合部５６が直進案内環３０に干渉するため、干渉を避けるために直進案内環３０の先端に切り欠き５８を設ける必要がある。また、このような切り欠き５８を設けると直進案内環３０の強度が低下するとともに、直進案内環３０の構造が複雑となるため射出成形が困難となるという問題点を有する。
【課題を解決するための手段】
【０００６】
　上記課題を解決するために、本発明のレンズ鏡筒においては、直進案内環と、直進案内環の内側に配置され、外周面にカムを有する直進移動環と、直進案内環の外側に配置され、直進案内環に対して周方向には回転可能で光軸方向には移動不可能な、第１貫通溝を有する回転操作環と、を同心状に配置し、回転操作環の直進案内環に対する回動操作により、直進案内環を介して直進移動環を光軸方向に直進移動させるレンズ鏡筒であって、直進案内環は径方向に貫通する第２貫通溝を有し、回転操作環の外側から、直進案内環の貫通溝を介して直進移動環に設けられたカムと係合する突起部材を挿入させたことを特徴としている。
【０００７】
　突起部材を挿入したとき、第２貫通溝に位置する突起部材の光軸方向の長さが、第２貫通溝の光軸方向の長さとほぼ一致することが好ましい。
【０００８】
　直進案内環の第２貫通溝は、突起部材が、回転操作環の直進案内環に対して回転を邪魔しないような周方向長溝になっていることが好ましい。
【発明の効果】
【０００９】
　本発明によると、ズーム環（回転操作環）に直進案内環を組み込むときにカム係合部が直進案内環に干渉するということはないため、直進案内環の先端部に切り欠きを設ける必要はない。このため強度が高く、かつ射出成形が容易な直進案内環を提供することができる。また、ズーム環の光軸方向の動きを規制するローラが不要となることによってズーム環および直進案内環の構造がシンプルとなるため、レンズ鏡筒の各部品の射出成形が容易となり、製造コストを低減させることができ、レンズ鏡筒の強度も向上する。
【発明を実施するための最良の形態】
【００１０】
　以下、本発明にかかる実施形態を図面を参照しつつ詳しく説明する。図１は、本実施形態にかかるレンズ鏡筒の部分断面図である。図２は、本実施形態にかかるレンズ鏡筒の直進案内環の部分展開図である。図３は、本実施形態にかかるレンズ鏡筒の斜視図である。
【００１１】
　図は、本発明構成に関係する要素のみを描いたもので、レンズ群は第１レンズ群Ｌ１のみを描いている。勿論、完成品のレンズ鏡筒としては、図示しないレンズ群及びその支持構造が存在する。
【００１２】
　本実施形態にかかるレンズ鏡筒は、固定鏡筒として、カメラボディに固定されるバヨネット環４とこのバヨネット環４に固定される直進案内環（固定環）３とを有し、回転鏡筒として直進案内環３の外周に位置するズーム環５、直進移動環として、直進案内環３の内周に位置する１群移動枠１等を有する。なお、１群移動枠１はフィルター枠２を介して第一レンズ群Ｌ１を支持している。
【００１３】
　ズーム環（回転操作環）５は、直進案内環３の外周に配置可能な環状形状であって、その外周には１群案内駒（突起部材）６を嵌合する１群案内駒（突起部材）取り付け部５ａが周方向において等間隔に３箇所設けられている。１群案内駒（突起部材）取り付け部５ａは、周方向に延びる長溝であって、周方向両端がねじ取り付け部５ｂ、中央が径方向に貫通する貫通溝（第１貫通溝）５ｃとなっている。貫通溝５ｃには、側断面が略Ｔ字状であって水平方向に延在する腕部６ａとこの腕部６ａの中央から下方に延在する脚部６ｂからなる１群案内駒６の脚部６ｂが嵌合可能である。１群案内駒取り付け部５ａは、１群案内駒６が嵌合され、腕部６ａをねじ取り付け部５ｂにねじ止め固定されたときに、ズーム環５の外周面５ｄから１群案内駒６が突出しないように、１群案内駒６の腕部６ａの厚さの分だけ径方向において凹んだ構造となっている。脚部６ｂの先端部の光軸方向両端には一対のフォロワ部６ｃが設けられており、この一対の両端のフォロワ部６ｃの相対する内側面をカム係合面６ｄとしている。勿論、１群案内駒６および１群案内駒取り付け部５ａは、１、２または４以上設けてもよい。
【００１４】
　１群移動枠（直進移動環）１は、直進案内環３の内周に配置可能な環状形状であって、その外周上には、直進案内環３の三つの直進案内溝３ａに嵌まる３つの直進案内突起１ｂと、周方向成分及び光軸方向成分を有し、三つの１群案内駒６のフォロワ部６ｃと係合する３つのカム突起１ａとが形成されている。もちろん、直進案内突起１ｂおよびカム突起１ａの数は、直進案内溝３ａおよび貫通長溝３ｂにそれぞれ対応していれば、１、２または４以上としてもよい。
【００１５】
　以上のように構成されたレンズ鏡筒においては、ズーム環５、直進案内環３、１群移動枠１を組み立てて、１群案内駒６をズーム環５の外周側から取り付け、固定すると、１群案内駒６の先端はズーム環５の貫通溝５ｃ、直進案内環３の貫通長溝３ｂを経て、１群移動枠１のカム突起１ａに至る。１群案内駒６の先端のフォロワ部６ｃがカム突起１ａの側面を挟む形となるため、ズーム環５を直進案内環３０に対して回転させると１群案内駒６はカム突起１ａに係合しつつ移動し、これに伴って１群移動枠１がズーム環５に対して移動するためフィルター枠２を介して第１レンズ群Ｌ１が移動する。
【００１６】
　一方、直進案内環３の直進溝３ａには１群移動枠１の直進案内突起１ｂが嵌合するため、１群移動枠１の周方向の移動が規制される。一群案内駒６のフォロワ部６ｃのカム係合面６ｄがカム突起１ａの側面を挟み、直進案内環３の直進溝３ａには１群移動枠１の直進案内突起１ｂが嵌合するため、ズーム環５を直進案内環３に対して回転させると１群移動枠１がズーム環５に対して光軸方向に移動し、これにより、フィルター枠２を介して第１レンズ群Ｌ１が光軸方向に移動する。このため、使用者はズーム環５を直進案内環３に対して周方向に相対回転させ一群移動枠１を光軸方向に動かすことにより所望の焦点距離に設定することができる。
【００１７】
　本実施形態においてはズームレンズについて説明したが、本発明はズームレンズに限定されるものではない。
【００１８】
　本発明について上記実施形態を参照しつつ説明したが、本発明は上記実施形態に限定されるものではなく、改良の目的または本発明の思想の範囲内において改良または変更が可能である。
【図面の簡単な説明】
【００１９】
【図１】本実施形態にかかるレンズ鏡筒の部分断面図である。
【図２】本実施形態にかかるレンズ鏡筒の直進案内環の部分展開図である。
【図３】本実施形態にかかるレンズ鏡筒の斜視図である。
【図４】従来のレンズ鏡筒の断面図である。
【図５】従来のレンズ鏡筒の直進案内環の展開図である。
【符号の説明】
【００２０】
　１　　１群移動枠（直進移動環）
　３　　直進案内環
　３ａ　直進案内溝
　３ｂ　貫通長溝（第２貫通溝）
　５　　ズーム環（回転操作環）
　５ａ　１群案内駒取り付け部
　５ｃ　貫通溝（第１貫通溝）
　６　　１群案内駒（突起部材）
　６ａ　腕部
　６ｂ　脚部
　６ｃ　フォロワ部
　６ｄ　カム係合面
【図１】
2004139061.tif 000003
【図２】
2004139061.tif 000004
【図３】
2004139061.tif 000005
【図４】
2004139061.tif 000006
【図５】
2004139061.tif 000007